(57)【特許請求の範囲】
【請求項１】
光信号の伝送方向が互いに逆向きである第１および第２のリング伝送路で構成されるリングネットワークにおける各ノード位置に配置される光波長分岐挿入装置において、
前記第１および第２のリング伝送路のうち経路切替信号に従って選択したリング伝送路からの光信号について受信処理を行う光受信器に、前記選択したリング伝送路において最適な受信閾値を設定する閾値設定手段と、
運用開始時の初期設定として、前記第１および第２のリング伝送路の切り替えを行って前記光受信器に受信動作を行わせ、その受信処理結果に基づき各リング伝送路に対する最適な受信閾値を探索し、探索した各リング伝送路に対する最適な受信閾値を前記閾値設定手段に保持させる受信閾値探索手段と、
を備え、
前記受信閾値探索手段は、最適な受信閾値を探索する場合に、所定の受信閾値を変化させながら前記受信処理を行うことにより受信信号の誤り率またはＱ値を観測し、誤り率を観測する場合には誤り率が最小となる前記所定の受信閾値を、Ｑ値を観測する場合にはＱ値が最大となる前記所定の受信閾値を、最適な受信閾値とする、
ことを特徴とする光波長分岐挿入装置。
【請求項２】
前記受信閾値探索手段は、さらに、
運用時に前記閾値設定手段が保持する受信閾値のうち選択されたリング伝送路に対する受信閾値を前記光受信器の受信処理結果に基づき微調整する、
ことを特徴とする請求項１に記載の光波長分岐挿入装置。
【請求項３】
前記光受信器の受信処理結果に基づき前記経路切替信号を発行する経路監視手段、
を備えることを特徴とする請求項１または２に記載の光波長分岐挿入装置。
【請求項４】
２つの入力ポートと１つの出力ポートとを有し、前記２つの入力ポートには前記第１および第２のリング伝送路がそれぞれ接続され、前記１つの出力ポートに前記光受信器が接続され、前記経路切替信号に従って２つの入力ポートの一方を前記１つの出力ポートに接続する経路切替手段、
を備えることを特徴とする請求項１、２または３に記載の光波長分岐挿入装置。
【請求項５】
光信号の伝送方向が互いに逆向きである第１および第２のリング伝送路で構成されるリングネットワークにおける各ノード位置に配置される光波長分岐挿入装置において、
前記第１および第２のリング伝送路のうち経路切替信号に従って選択したリング伝送路からの光信号について受信処理を行う光受信器に、前記選択したリング伝送路において最適な受信閾値を設定する閾値設定手段と、
前記第１および第２のリング伝送路のうち選択されないリング伝送路からの光信号について光信号品質を監視するモニタ手段と、
運用開始時の初期設定として、前記第１および第２のリング伝送路の切り替えを行って前記光受信器に受信動作を行わせ、その受信処理結果に基づき各リング伝送路に対する最適な受信閾値を探索し、探索した各リング伝送路に対する最適な受信閾値を前記閾値設定手段に保持させる受信閾値探索手段と、
を備え、
前記受信閾値探索手段は、最適な受信閾値を探索する場合に、所定の受信閾値を変化させながら前記受信処理を行うことにより受信信号の誤り率またはＱ値を観測し、誤り率を観測する場合には誤り率が最小となる前記所定の受信閾値を、Ｑ値を観測する場合にはＱ値が最大となる前記所定の受信閾値を、最適な受信閾値とする、
ことを特徴とする光波長分岐挿入装置。
【請求項６】
前記受信閾値探索手段は、さらに、
運用時に前記閾値設定手段が保持する受信閾値のうち選択されていないリング伝送路に対する受信閾値を前記モニタ手段の監視結果に基づき微調整する、
ことを特徴とする請求項５に記載の光波長分岐挿入装置。
【請求項７】
前記光受信器の受信処理結果に基づき前記経路切替信号を発行する経路監視手段、
を備えることを特徴とする請求項５または６に記載の光波長分岐挿入装置。
【請求項８】
２つの入力ポートと２つの出力ポートとを有し、前記２つの入力ポートには前記第１および第２のリング伝送路がそれぞれ接続され、前記２つの出力ポートのうち一方の出力ポートには前記光受信器が接続され、他方の出力ポートには前記モニタ手段が接続され、前記経路切替信号が指示するリング伝送路に接続される入力ポートを前記一方の出力ポートに接続し、前記経路切替信号が指示しないリング伝送路に接続される入力ポートを前記他方の出力ポートに接続する動作を行う経路切替手段、
を備えることを特徴とする請求項５、６または７に記載の光波長分岐挿入装置。
【請求項９】
前記モニタ手段の監視結果に基づき前記第１および第２のリング伝送路のうち選択されていないリング伝送路の異常検出を行う異常検出手段、
を備えることを特徴とする請求項５〜８のいずれか１つに記載の光波長分岐挿入装置。
【請求項１０】
光信号の伝送方向が互いに逆向きである第１および第２のリング伝送路で構成されるリングネットワークにおける各ノード位置に配置される光波長分岐挿入装置において行われる障害回復方法であって、
運用開始時の初期設定として、前記第１および第２のリング伝送路の切り替えを行って前記光受信器に受信動作を行わせ、その受信処理結果に基づき各リング伝送路に対する最適な受信閾値を探索して保持する第１工程と、
運用時に、前記第１および第２のリング伝送路のうち経路切替信号に従って選択したリング伝送路からの光信号について受信処理を行う光受信器に対し前記第１工程にて保持した受信閾値のうち前記選択されたリング伝送路に対する受信閾値を設定する第２工程と、
を含み、
前記第１工程では、最適な受信閾値を探索する場合に、所定の受信閾値を変化させながら前記受信処理を行うことにより受信信号の誤り率またはＱ値を観測し、誤り率を観測する場合には誤り率が最小となる前記所定の受信閾値を、Ｑ値を観測する場合にはＱ値が最大となる前記所定の受信閾値を、最適な受信閾値とする、
ことを特徴とする障害回復方法。
【請求項１１】
前記第１工程にて保持した受信閾値のうち前記選択されたリング伝送路に対する受信閾値を前記光受信器の受信処理結果に基づき微調整する工程、
を含むことを特徴とする請求項１０に記載の障害回復方法。
【請求項１２】
前記第１および第２のリング伝送路のうち選択されないリング伝送路からの光信号について光信号品質を監視する工程と、
前記第１工程にて保持した受信閾値のうち前記選択されていないリング伝送路に対する受信閾値を前記監視する工程での監視結果に基づき微調整する工程と、
を含むことを特徴とする請求項１０に記載の障害回復方法。
【請求項１３】
前記第１および第２のリング伝送路のうち選択されないリング伝送路からの光信号について光信号品質を監視する工程と、
前記監視する工程での監視結果に基づき前記第１および第２のリング伝送路のうち選択されないリング伝送路についての異常検出を行う工程と、
を含むことを特徴とする請求項１０に記載の障害回復方法。
【請求項１４】
前記光受信器の受信処理結果に基づき前記経路切替信号を発行する工程、
を含むことを特徴とする請求項１０〜１３のいずれか１つに記載の障害回復方法。
【発明の詳細な説明】
【技術分野】
【０００１】
この発明は、光リングネットワークのノード位置に配置される光波長分岐挿入装置および障害回復方法に関するものである。
【背景技術】
【０００２】
光波長分岐挿入装置は、各種の光通信網におけるノード位置において、１波長以上の光信号をその波長に応じて分岐、挿入、通過させるノード装置として使用されている。このような光波長分岐挿入装置を用いたリングネットワークでは、伝送路冗長を行う場合は、伝送方向が互いに逆向きである現用系と予備系のリング伝送路をそれぞれ形成し、各ノード（光波長分岐挿入装置）では、光送信器の出力は光分岐手段を用いて現用系と予備系の双方に送出するとともに、光受信器に対しては現用系と予備系のそれぞれからの分岐光信号をスイッチもしくはセレクタを介して接続し、伝送路の現用／予備の切り替えに応じてスイッチを切り替えることにより、受信する光信号の経路選択を行っていた（例えば、特許文献１〜４）。
【０００３】
ところで、上記のようにリングネットワークを冗長構成とした場合、各経路に対して受信光信号レベルが異なるという問題があり、その結果、例えば、経路切替時に過入力による光受信器の破損や受信光レベル変動による受信特性劣化が生じるという問題がある。【０００４】
そこで、例えば特許文献４では、現用系／予備系の切替時に生じる受信光信号のレベル変動を吸収する技術が開示されている。以下、図６を参照して、その概要を説明する。なお、図６は、従来の光波長分岐挿入装置における光送受信器の構成例を示すブロック図である。【０００５】
図６において、送信側では、光送信器（Ｔｘ）６０が出力する光信号は、光分岐手段６１にて２分岐される。一方の分岐光信号は、可変レベル調整部６２ａにて、送出レベルが調節され、現用系のリング伝送路に送出される。また、他方の分岐光信号は、可変レベル調整部６２ｂにて、送出レベルが調節され、予備系のリング伝送路に送出される。【０００６】
受信側では、経路切替部（ＳＷ）６３には、現用系のリング伝送路と予備系のリング伝送路とから光信号がそれぞれ入力される。経路切替部（ＳＷ）６３は、外部から入力する経路切替信号に従って何れか一方のリング伝送路からの光信号を選択する。経路切替部（ＳＷ）６３にて選択された光信号は、可変レベル調整部６４にて受信レベルが調整され、光受信器（Ｒｘ）６５に入力される。【０００７】
この構成によれば、送信側では、現用系と予備系のリング伝送路に送出する光信号のレベルをそれぞれ調整し、受信側では、経路切替部が選択した受信光信号をレベル調整して光受信器に入力させるようにしているので、現用系／予備系の切替時に生じる受信光信号のレベル変動を吸収することが可能となる。【０００８】
【特許文献１】特開平５−３３６１３９号公報
【特許文献２】特開平１０−１２６３５０号公報
【特許文献３】特開平１１−５５７００号公報
【特許文献４】特開２００２−２７１２６８号公報
【発明の開示】
【発明が解決しようとする課題】
【０００９】
しかしながら、光波長分岐挿入装置を用いたリングネットワークでは、伝送距離の延伸や通過ノード数の増大を図った場合に、伝送路切替時に受信光信号にレベル変動が生ずるだけでなく、伝送距離や通過ノード数の違いによって、残留波長分散や光帯域制限による波形歪、光ＳＮＲなど受信信号品質に影響を及ぼすその他の多くのパラメータが現用系と予備系との間で異なる。したがって、受信光信号のレベル変動のみを考慮しただけでは、伝送路の長距離化／多ノード化を有効に実現することが困難である。
【００１０】
加えて、伝送路障害等による伝送路切替では、高速化も要求されるため、受信特性の改善と合わせて高速化の観点からも、現用系と予備系との間で異なる受信特性となる問題に対する解決策が必要となる。ここに、異なる受信波形を有する受信光信号に対して受信特性を良好に保つ一つの方策としては、光受信器の受信閾値を常時最適制御することが考えられる。しかし、この最適制御では、大きく波形が変動した場合の制御引き込み時間が必要となるため、高速切替に対しては未だ難があり、システム全体の動作としては課題が残る。【００１１】
この発明は、上記に鑑みてなされたものであり、現用系と予備系の冗長伝送路を持つリングネットワークにおいて、伝送路障害等による伝送路の高速切替が実現でき、かつ伝送路の切り替えに影響されず常に最良の受信特性を得ることができる光波長分岐挿入装置および障害回復方法を得ることを目的とする。
【課題を解決するための手段】
【００１２】
上述した目的を達成するために、この発明は、光信号の伝送方向が互いに逆向きである第１および第２のリング伝送路で構成されるリングネットワークにおける各ノード位置に配置される光波長分岐挿入装置において、前記第１および第２のリング伝送路のうち経路切替信号に従って選択したリング伝送路からの光信号について受信処理を行う光受信器に、前記選択したリング伝送路において最適な受信閾値を設定する閾値設定手段を備えていることを特徴とする。【００１３】
この発明によれば、伝送路障害等によって第１および第２のリング伝送路間で切り替えが起こると、光受信器には、その切り替え先の伝送路において最適な受信閾値が設定されるので、切替直後から最良の受信特性を得ることができる。したがって、伝送路障害等による伝送路の切り替えを高速に行うことができるようになる。
【発明の効果】
【００１４】
この発明によれば、伝送路障害等による伝送路の高速切替が実現でき、かつ伝送路の切り替えに影響されず常に最良の受信特性を得ることができるという効果を奏する。
【図面の簡単な説明】
【００１５】
【図１】図１は、この発明の実施の形態１による光波長分岐挿入装置の構成を示すブロック図である。
【図２】図２は、図１に示す閾値切替機能部に最適な受信閾値を与える閾値データを設定保存する動作例を示すフローチャートである。
【図３】図３は、この発明の実施の形態２による光波長分岐挿入装置の構成を示すブロック図である。
【図４】図４は、この発明の実施の形態３として、正常時でのリングネットワークを説明するシステム図である。
【図５】図５は、この発明の実施の形態３として、伝送路障害時でのリングネットワークを説明するシステム図である。
【図６】図６は、従来の光波長分岐挿入装置における光送受信器の構成例を示すブロック図である。
【符号の説明】
【００１６】
１，２０，３０ａ，３０ｂ  光波長分岐挿入装置
２，２１  監視制御部
３，２２  光送受信器
１０  光送信器（Ｔｘ）
１１  光分岐手段（ＣＰＬ）
１２，２３  経路切替部
１３  光受信器（Ｒｘ）
１４  閾値切替機能部
１５  インタフェース部（Ｉ／Ｆ）
１６  閾値データ保持部（メモリ）
１７  閾値切替部
２４  光信号モニタ（Ｍｏｎ）
４０ａ  現用系伝送路
４０ｂ  予備系伝送路
Ｖｔｈ−０  現用系伝送路用の閾値データ
Ｖｔｈ−１  予備系伝送路用の閾値データ
【発明を実施するための最良の形態】
【００１７】
以下に図面を参照して、この発明にかかる光波長分岐挿入装置および障害回復方法の好適な実施の形態を詳細に説明する。【００１８】
実施の形態１．
図１は、この発明の実施の形態１による光波長分岐挿入装置の構成を示すブロック図である。図１に示す光波長分岐挿入装置１は、装置全体を統括する監視制御部２と、監視制御部２に依る制御下に動作する光送受信器３とで構成され、伝送方向が互いに逆向きである現用系と予備系の冗長伝送路を持つリングネットワークにおける各ノード位置に配置されている。【００１９】
光送受信器３は、送信側として、光送信器（Ｔｘ）１０と、光送信器（Ｔｘ）１０の出力を現用系と予備系の各リング伝送路に送出する光分岐手段（ＣＰＬ）１１とを備えている。光分岐手段（ＣＰＬ）１１には、例えば、波長依存性の少ない光分岐カプラなどが用いられる。【００２０】
また、光送受信器３は、受信側として、現用系と予備系の各リング伝送路から光信号がそれぞれ入力する経路切替部（ＳＷ）１２と、経路切替部（ＳＷ）１２が選択したリング伝送路からの光信号を受ける光受信器（Ｒｘ）１３と、光受信器（Ｒｘ）１３におけるデータ識別回路の一部を構成する閾値切替機能部１４とを備えている。【００２１】
そして、光送受信器３には、監視制御部２との信号授受を行うインタフェース部（Ｉ／Ｆ）１５が設けられている。図１では、インタフェース部（Ｉ／Ｆ）１５は、光送受信器３の受信側の上記各要素と監視制御部２との間に介在するとしている。【００２２】
経路切替部（ＳＷ）１２は、インタフェース部（Ｉ／Ｆ）１５を介して監視制御部２から入力する経路切替信号に依って現用系伝送路と予備系伝送路の経路切替を行うが、図１では、この発明の理解を容易にするため、１波長の光信号を取り込むシンプルな形態を想定して、２入力１出力の光スイッチが示されている。多数の入出力ポートを持ち、複数の入力ポートに対して任意の一つの出力ポートに接続することができるセレクタ機能を有する光部品であれば、形態を問わず使用できることは言うまでもない。この場合には、光受信器は、出力ポートの数だけ存在することになる。【００２３】
光受信器（Ｒｘ）１３がインタフェース部（Ｉ／Ｆ）１５を介して監視制御部２に与える受信信号品質情報には、例えば、光信号の入力パワー、識別後の誤りなど、光受信器（Ｒｘ）１３で得られる受信光信号の品質や入力有無に関する各種の情報が含まれている。監視制御部２は、この受信信号品質情報を利用して経路切替信号を発行する。【００２４】
さて、この実施の形態による閾値切替機能部１４は、閾値データ保持部（以降「メモリ」と記す）１６と、閾値切替部１７とを備えている。メモリ１６には、現用系伝送路において最適な受信閾値を与える現用系伝送路用の閾値データＶｔｈ−０を格納する現用系格納領域１６ａと、予備系伝送路において最適な受信閾値を与える予備系伝送路用の閾値データＶｔｈ−１を格納する予備系格納領域１６ｂとが設けられている。現用系格納領域１６ａと予備系格納領域１６ｂへの閾値データ設定は、監視制御部２が、システム運用時等の初期設定として、例えば図２に示す手順で行うようになっている。
【００２５】
閾値切替部１７は、例えば２入力１出力のスイッチを備え、その２入力の一方が現用系格納領域１６ａに格納される閾値データＶｔｈ−０であり、他方が予備系格納領域１６ｂに格納される閾値データＶｔｈ−１であり、インタフェース部（Ｉ／Ｆ）１５を介して監視制御部２から入力する経路切替信号に依って２入力のうちの一つを選択し、光受信器（Ｒｘ）１３に与えるようになっている。【００２６】
まず、図１を参照して全体的な動作について説明する。図１において、通常時では、リングネットワーク上の各光波長分岐挿入装置の監視制御部２は、当該光波長分岐挿入装置の光送受信器３の受信側に対して、現用系伝送路の使用を指示する経路切替信号を発行しているとする。したがって、当該光波長分岐挿入装置の光送受信器３の受信側では、経路切替部１２が、現用系伝送路からの光信号を選択して光受信器（Ｒｘ）１３に与えている。また、閾値切替機能部１４では、閾値切替部１７が現用系用閾値データＶｔｈ−０を光受信器（Ｒｘ）１３に与えて設定している。【００２７】
各光波長分岐挿入装置の監視制御部２は、現用系のリング伝送路を用いて光信号の授受が行われ、光受信器（Ｒｘ）１３が現用系伝送路において最適な受信閾値を与える閾値データＶｔｈ−０によって受信動作を行っている過程で、光受信器（Ｒｘ）１３から入力する受信信号品質情報に基づき上流側現用系伝送路の健全性をモニタしている。【００２８】
ある光波長分岐挿入装置の監視制御部２において、現用系伝送路から取り込んだ光信号のパワーが極端に微弱化したなどによって上流側の伝送路障害を検出した場合や、現用系伝送路から取り込んだ光信号の誤り率が急増したなどによって上流側の光波長分岐挿入装置の故障を検出した場合は、当該監視制御部２は、現用系伝送路において正常なデータ伝送が不可能であると判断し、光送受信器３の受信側に発行する経路切替信号の内容を現用系伝送路の使用指示から予備系伝送路の使用指示に切り替える。【００２９】
これによって、当該光波長分岐挿入装置の光送受信器３の受信側では、経路切替部１２が、予備系伝送路からの光信号を選択して光受信器（Ｒｘ）１３に与える。また、ほぼ同時に、閾値切替機能部１４では、閾値切替部１７が予備系用閾値データＶｔｈ−１を光受信器（Ｒｘ）１３に与えて設定する。光受信器（Ｒｘ）１３は、予備系伝送路において最適な受信閾値を与える閾値データＶｔｈ−１によって受信動作を開始する。【００３０】
この現用系から予備系への切り替えにおいて、現用系伝送路の使用指示から予備系伝送路の使用指示に切り替える経路切替信号を受けた後、経路切替および光受信器の閾値設定にかかる時間は、概ね経路切替部１２および閾値切替部１７の切替速度のみに依存するため、高速な経路切替を達成することができる。しかも、切替直後から最良の受信特性を得ることができる。【００３１】
次に、図２を参照して、閾値切替機能部１４に最適な受信閾値を与える閾値データを設定保存する方法を説明する。図２では、閾値設定手順の一例として、所定数の光波長分岐挿入装置を用いたリングネットワークの運用開始時や、その後に、光波長分岐挿入装置の新設もしくは光波長分岐挿入装置に光送受信器を増設した場合は、それらが最初に動作を開始する時などにおいて、閾値切替機能部１４に最適な受信閾値を与える閾値データを設定保存する動作例がフローチャート形式で示されている。【００３２】
図２おいて、まず、監視制御部２は、運用開始時や動作開始時に現用系の経路を選択する指示を光送受信器３の受信側に与える（ステップＳＴ１）。監視制御部２は、光受信器（Ｒｘ）１３からの受信信号品質情報に基づき現用系伝送路での最適閾値探索を行い、終了すると、探索できた現用系用の閾値データＶｔｈ−０を閾値切替機能部１４に与える閾値設定信号によってメモリ１６の現用系格納領域１６ａに書き込む（ステップＳＴ２）。
【００３３】
ここで、最適閾値探索の方法としては、例えば閾値を変化させた場合の受信信号の誤り率もしくはＱ値を観測し、誤り率が最小（もしくはＱ値が最大）となる閾値を最適閾値とする方法を挙げることができる。【００３４】
次に、監視制御部２は、予備系の経路を選択する指示を光送受信器３の受信側に与える（ステップＳＴ３）。監視制御部２は、予備系伝送路での最適閾値探索を現用系と同様に実施し、探索できた予備系用の閾値データＶｔｈ−１を閾値切替機能部１４に与える閾値設定信号によってメモリ１６の予備系格納領域１６ｂに書き込む（ステップＳＴ４）。【００３５】
監視制御部２は、以上のような現用系と予備系の各伝送路について最適閾値の探索設定が終了すると光送受信器３の受信側に対して現用系を選択する指示を与える。このとき、閾値切替機能部１４では、閾値データの設定が終了したので、現用系を選択する指示に応答して、現用系用の閾値データＶｔｈ−０を光受信器（Ｒｘ）１３に設定する（ステップＳＴ５）。これによって、通常の運用状態となる（ステップＳＴ６）。【００３６】
なお、通常運用状態での受信光波形の特性変動が著しい場合には、光送受信器の運用開始時に設定した最適閾値を初期値とした閾値自動調整を行ってもよい。閾値自動調整としては、例えば、運用開始時に用いる誤り率を最小とする閾値調整を行えばよい。この場合、閾値調整を行うには、閾値を若干変動させながら誤り率が減少する方向に閾値を微調するという制御を行うことになる。しかし、予め概略最適化された閾値を初期値として閾値自動調整をスタートさせることができるので、閾値を変動させた場合でも過度に受信特性を劣化させることがなく、また最適点の近傍での探索および制御を行うことになるため、調整時間の短縮を図ることが可能である。【００３７】
このように、この実施の形態１によれば、経路切替と連動してその切替前後の光波形変化に対応した最適な受信閾値の設定が行えるので、装置運用開始時等に予め現用系と予備系の双方に対してそれぞれ最適な受信閾値を設定し、現用系と予備系の切替時に各伝送路に応じた最適閾値を光受信器に設定するようにしたので、常に最良の受信特性を得ることができ、また受信特性の向上が図れる。その結果、伝送距離の長距離化や光通信伝送網であるリングネットワークに接続される光波長分岐挿入装置の多ノード化が実現できる。【００３８】
また、リングネットワークの現用系と予備系の切替時に同時に受信最適閾値を切り替えるのみで、概略最適閾値設定が可能であるので、現用系と予備系の切替時にデータ伝送パスの確立を高速で行うことが可能である。【００３９】
さらに、リングネットワークの現用系と予備系の切替時に生じる受信波形の変動を、各経路に対する最適閾値設定によって吸収できる場合には、受信波形の変動を吸収する他の光部品（例えば、受信器の前段に挿入し光レベル変動を抑制する光可変減衰器など）を省略することが可能であるので、装置の低コスト化を図ることが可能である。【００４０】
実施の形態２．
図３は、この発明の実施の形態２による光波長分岐挿入装置の構成を示すブロック図である。なお、図３では、図１（実施の形態１）に示した構成要素と同一ないしは同等である構成要素には同一の符号が付されている。ここでは、実施の形態２に関わる部分を中心に説明する。【００４１】
図３に示すように、実施の形態２による光波長分岐挿入装置２０は、監視制御部２１と光送受信器２２とで構成される。光送受信器２２では、図１（実施の形態１）に示した光送受信器３において、経路切替部（ＳＷ）１２に代えて経路切替部（ＳＷ）２３が設けられ、光信号モニタ（Ｍｏｎ）２４が追加されている。【００４２】
経路切替部（ＳＷ）２３は、例えば、２入力２出力の光スイッチである。この２入力２出力の経路切替部（ＳＷ）２３は、第一の入力ポートが第一の出力ポートに接続された場合は、第二の入力ポートは第二の出力ポートに接続される。また、第一の入力ポートが第二の出力ポートに接続された場合は、第二の入力ポートは第一の出力ポートに接続されるように動作する。【００４３】
図１では、現用系伝送路からの光信号が印加される入力ポートが接続される出力ポートが光受信器（Ｒｘ）１３の入力端に接続され、予備系伝送路からの光信号が印加される入力ポートが接続される出力ポートが光モニタ（Ｍｏｎ）２４の入力端に接続されている。【００４４】
つまり、光モニタ（Ｍｏｎ）２４には、選択していない伝送路からの光信号が入力される。光モニタ（Ｍｏｎ）２４は、光信号の入力断を検出する機能と信号品質劣化を検出する機能との一方または双方を備え、選択していない伝送路からの光信号をモニタし、そのモニタ結果であるモニタ情報を監視制御部２１に出力するようになっている。図１の例で言えば、現用系伝送路が選択され、予備系伝送路が選択されていない場合には、光モニタ（Ｍｏｎ）２４は、予備系伝送路からの光信号をモニタし、その予備系信号モニタ情報を監視制御部２１に出力する。【００４５】
監視制御部２１は、図１（実施の形態１）に示した監視制御部２の機能に加えて、光モニタ（Ｍｏｎ）２４からのモニタ情報に基づき現在選択されていない経路（例えば、現用系にてデータ伝送を行っている場合は予備系）の光信号状態を常時監視し、選択されていない経路に異常が生じた場合に、逆経路となる現在選択されている経路を用いて異常警報の転送を対向局に転送する機能や、現在保持している選択されていない経路用の最適閾値を修正する機能などが追加されている。【００４６】
この実施の形態２によれば、現在選択されていない経路の光信号状態を常時監視するようにしたので、選択されていない経路に異常が生じた場合に、逆経路となる現在選択されている経路を用いて異常警報を対向局に転送する措置を採ることができ、リングネットワークの信頼性を向上させることができる。【００４７】
また、現在選択されていない経路の光信号状態を常時監視するようにしたので、現在保持している選択されていない経路用の最適閾値を修正することができ、現用系と予備系の切替動作の信頼性を高めることができる。
【００４８】
実施の形態３.
図４と図５は、この発明の実施の形態３として、正常時と伝送路障害時でのリングネットワークを説明するシステム図である。この実施の形態３では、リングネットワークにおける障害回復方法について説明する。【００４９】
図４と図５に示すように、この発明が対象とするリングネットワークは、光信号を互いに逆向きに伝送する現用系伝送路４０ａと予備系伝送路４０ｂとで構成される。図示例では、現用系伝送路４０ａでの伝送方向は時計回り方向であり、予備系伝送路４０ｂでの伝送方向は反時計回り方向であるとしている。【００５０】
リングネットワークのノード（ｎｏｄｅ）を構成する光波長分岐挿入装置は、図１（実施の形態１）に示した光波長分岐挿入装置１または図３（実施の形態２）に示した光波長分岐挿入装置２０であるが、図４と図５では、代表例として、ｎｏｄｅ−ｉの光波長分岐挿入装置３０ａとｎｏｄｅ−ｊの光波長分岐挿入装置３０ｂとが示されている。そして、光波長分岐挿入装置３０ａの光送受信器として、図１（実施の形態１）に示した光送受信器３が示されている。
【００５１】
図４において、光波長分岐挿入装置３０ａの光送受信器では、光送信器（Ｔｘ）１０の出力光信号が光分岐手段（ＣＰＬ）１１によって現用系伝送路４０ａと予備系伝送路４０ｂとに送出される。この送信光信号は、現用系伝送路４０ａでは、時計回り方向に伝送され、経路が健全であれば、ｎｏｄｅ−ｊの光波長分岐挿入装置３０ｂ、ｎｏｄｅ−ｉの光波長分岐挿入装置３０ａに受信される。また、この送信光信号は、予備系伝送路４０ｂでは、反時計回り方向に伝送され、経路が健全であれば、ｎｏｄｅ−ｊの光波長分岐挿入装置３０ｂ、ｎｏｄｅ−ｉの光波長分岐挿入装置３０ａに受信される。
【００５２】
ｎｏｄｅ−ｉの光波長分岐挿入装置３０ａでは、その光送受信器の受信側における経路切替部１２では、このように両伝送路から光信号が入力するが、現用系伝送路４０ａを選択しているので、現用系伝送路４０ａからの光信号が光受信器（Ｒｘ）１３に入力する。
【００５３】
このとき、光受信器（Ｒｘ）１３の閾値切替機能部１４では、システムの運用開始時等での初期設定として、現用系伝送路４０ａおよび予備系伝送路４０ｂのそれぞれにおける最適な受信閾値が設定されているので、光受信器（Ｒｘ）１３では、閾値切替機能部１４によって現用系用の最適な受信閾値が設定されているので、最良な受信特性で受信処理を行う。【００５４】
さて、図５において、現用系伝送路４０ａにおけるｎｏｄｅ−ｉとｎｏｄｅ−ｊとの間で伝送路障害が発生すると、ｎｏｄｅ−ｊの下流側に位置するｎｏｄｅ−ｉの光波長分岐挿入装置３０ａでは、入力断を検出して予備系伝送路４０ｂへの切り替えが実施される。同時に、光受信器（Ｒｘ）１３では、閾値切替機能部１４によって予備系用の最適な受信閾値が設定される。
【００５５】
これによって、ｎｏｄｅ−ｉとｎｏｄｅ−ｊとの間では、反時計回り方向の予備系伝送路４０ｂを用いてデータ伝送を続けることができる。しかも、光受信器（Ｒｘ）１３では予備系用の最適な受信閾値が設定された状態で、予備系伝送路４０ｂを用いてデータ伝送を行うので、切り替え後も正常なデータ伝送が行える。【００５６】
なお、伝送路の切り替えは、入力光レベルをモニタすることで行う場合を示したが、システム全体の監視制御装置の指示による切り替えでもよい。【００５７】
また、伝送路障害からの回復方法を説明したが、ノード装置である光波長分岐挿入装置自体の故障の場合も同様の方法で故障を回避してデータ伝送を続けることができることは言うまでもない。
【産業上の利用可能性】
【００５８】
以上のように、この発明にかかる光波長分岐挿入装置は、冗長構成のリングネットワークを構築するのに有用であり、特に、伝送路の高速切替が要求されるリングネットワークに適している。
【図１】
0004545756.tif 000002
【図２】
0004545756.tif 000003
【図３】
0004545756.tif 000004
【図４】
0004545756.tif 000005
【図５】
0004545756.tif 000006
【図６】
0004545756.tif 000007